(57)【要約】【課題】コンクリート構造物に貫通孔を形成する際、再使用可能なスリーブ管を簡単な作業で強固に固定し、また固化したコンクリートから容易に除去する。【解決手段】貫通孔形成用スリーブ管装置は、軸方向にスリット５を有し、ナット６，６を有する塩化ビニル樹脂製スリーブ管４、スペーサ７、フレキシブルシート８、コ字状のスリーブ管固定部材９、蝶ボルト１３、木ねじ等の固着具１４からなる。スリット５にスペーサ７が挿入され、蝶ボルト１３によってスリーブ管固定部材９が取り付けられたスリーブ管４の外表面をフレキシブルシート８で覆った後、スラブ型枠１の貫通孔形成位置に載置し、スリーブ管固定部材９を固着具１４を用いてスラブ型枠１に固定する。打設したコンクリートが固化した後、スペーサ７を取り除いてスリーブ管４を内方に若干変形させた後、スリーブ管４、フレキシブルシート８を除去する。【選択図】図２
2005307468.tif 000002
【特許請求の範囲】
【請求項１】
軸方向にスリットを有するとともに、直径上の相対向する位置にナットが埋設されたスリーブ管と、前記スリットに装着されるスペーサと、前記スペーサが装着されたスリーブ管の表面を覆うフレキシブルシートと、前記スリーブ管を被取付体に取り付けるコ字状スリーブ管取付部材とからなり、該コ字状スリーブ管取付部材にはその両側片及び中央片に固定用孔が形成され、前記スリーブ管と前記コ字状スリーブ管取付部材、前記コ字状スリーブ管取付部材と被取り付け体とはそれぞれ着脱自在であることを特徴とする貫通孔形成用スリーブ管装置。
【請求項２】
請求項１記載の貫通孔形成用スリーブ管装置において、
前記コ字状スリーブ管取付部材は、前記両側片及び中央片にそれぞれ複数の固定用孔が形成されていることを特徴とする貫通孔形成用スリーブ管装置。
【請求項３】
請求項１または２記載の貫通孔形成用スリーブ管装置において、
前記コ字状スリーブ管取付部材の両側片に形成された固定用孔とボルトを用いて前記コ字状スリーブ管取付部材を前記スリーブ管に固定し、前記中央片に形成された固定用孔と固着具を用いて前記コ字状スリーブ管取付部材を前記被取付体に取り付けることを特徴とする貫通孔形成用スリーブ管装置。
【請求項４】
請求項１または２記載の貫通孔形成用スリーブ管装置において、
前記コ字状スリーブ管取付部材の両側片に形成された固定用孔とボルトを用いて前記コ字状スリーブ管取付部材を前記スリーブ管に固定し、前記両側片に形成された他の固定用孔とボルトを用いて前記コ字状スリーブ管取付部材を前記被取付体に形成された開口に取り付けることを特徴とする貫通孔形成用スリーブ管装置。
【請求項５】
請求項１乃至４いずれかに記載の貫通孔形成用スリーブ管装置を固化したコンクリートから除去する貫通孔形成用スリーブ管除去方法において、
前記スリーブ管から前記スペーサを取り外し、前記コ字状スリーブ管取付部材と前記被取付体との固定を解放した後、前記スリーブ管を前記固化したコンクリートから除去することを特徴とする貫通孔形成用スリーブ管除去方法。
【発明の詳細な説明】
【技術分野】
【０００１】
本発明は、貫通孔形成用スリーブ管装置及び貫通孔形成用スリーブ管除去方法に関し、さらに詳しくは、コンクリート構造物に貫通孔を形成する際に使用するスリーブ管を、型枠や既設のコンクリートスラブに対し簡単な操作で固定し、また除去することができ、しかも除去した後繰り返し使用することができる貫通孔形成用スリーブ管装置及び貫通孔形成用スリーブ管除去方法に関する。
【背景技術】
【０００２】
近年、廃棄物の削減に向けた活動が、企業の重要な債務となっている。国内で発生する産業廃棄物の１９％は建設産業によるものといわれており、建設産業においても廃棄物の削減に対する研究開発が盛んに行われているところである。
建築設備工事分野においては、床、壁等をコンクリ−トで構築する場合、床、壁等のコンクリ−トに配管用の貫通孔等を設けることが建築現場で広く行われている。ここで、貫通孔はボイド管と称する紙製の円筒体を利用して成形されているが、使用後に固化したコンクリートから取り除かれたボイド管は、水分を吸収し、変形又は破砕されているため、再使用できず破棄される。
【０００３】
また、固化後のコンクリ−トから容易に剥離することができ、しかも再使用することができるボイド管も知られており、その一例として特許文献１には、型枠に釘等の仮止部材によって固着されるボイドキャップと、ボイドキャップを嵌め込んで固定する変形自在なフレキシブル筒と、このフレキシブル筒に内挿される硬質の中空パイプ芯材とからなり、フレキシブル筒の外表面にはコンクリートとの離型性を有する離型層を形成し、内表面には中空パイプ芯材の外表面と離型性を有する離型面を形成したボイド管が開示されている。
【０００４】
また、コンクリート型枠への設置作業と、コンクリート構造物から取り除く作業が容易に行え、しかも、スリーブ構成部材は反復して使用することができるコンクリート型枠用スリーブ形成部材の例として、特許文献２には、合成樹脂材にて形成される半裁硬質スリーブ管と、２個の半裁硬質スリーブ管を円筒状に対応させた状態で被嵌する柔軟な合成樹脂製の円筒形の接続カバーと、接続カバーが被嵌された２個の半裁硬質スリーブ管が円筒状となるように嵌入支持するキャップから構成されるコンクリート型枠用スリーブ形成部材が開示されている。
【特許文献１】特開２００１−４０８７３号公報
【特許文献２】特開平１１−２９３９１５号公報
【発明の開示】
【発明が解決しようとする課題】
【０００５】
前記したように、建築設備工事において、コンクリ−ト床、壁等に配管用等の貫通孔を形成する際、紙製の円筒体からなるボイド管を使用した場合には、固化したコンクリ−トから剥離して取り除くのが容易でなく、使用後のボイド管は変形又は破砕され、また水分を含んでいるので再使用することができず、結果として廃棄物の量を増やし、建設コスト上昇の原因ともなっている。
【０００６】
また、特許文献１に開示されたようなボイド管を使用して、コンクリ−ト床、壁等に貫通孔を設けるようにすれば、コンクリ−トが固化した後にコンクリ−トから剥離して再使用することができるが、一方側の型枠に釘等の仮止部材によってボイドキャップを固着した後、このボイドキャップに変形自在なフレキシブル筒を嵌めて取り付け、フレキシブル筒に硬質の中空パイプ芯材を内挿し、その後他方側のボイドキャップをフレキシブル筒に取り付け、さらに他方側のボイドキャップを他方側の型枠に釘等の仮止部材によって固着するといった工程が必要となり、作業が非効率となりやすい。また、既設のコンクリートスラブに形成された開口と一致する貫通孔を形成するような場合、そのままでは使用することができない。
【０００７】
また、特許文献２に開示されたようなコンクリート型枠用スリーブ形成部材は、２個の半裁硬質スリーブ管が円筒状に組み合わされた構成であるので、コンクリ−トが固化した後にコンクリ−トから剥離して再使用することができるが、半裁硬質スリーブ管を２個組み合わせ、柔軟な合成樹脂製の円筒形の接続カバーで被嵌し、キャップに嵌入支持する作業は容易でなく、作業が非効率となりやすい。また、特許文献１に開示されたようなボイド管と同様に、既設のコンクリートスラブに形成された開口と一致する貫通孔を形成するような場合、そのままでは使用することができない。
【０００８】
本発明者は、前記したような従来技術が有している問題点を解消するため、特願２００４−０２６４６６号を出願した。この先出願の貫通孔形成用スリーブ管装置は、軸方向にスリットを有するスリーブ管と、前記スリットに挿入されるスペーサ部材と、前記スリットに前記スペーサ部材が挿入されたスリーブ管の表面を覆うフレキシブルシートと、前記スリーブ管を被取付体に取り付けるスリーブ管取付部材とからなることを特徴とするものであるが、実施試験を行った結果、スリーブ管を被取付体へ取り付け、また固化したコンクリ−トから取り除く際の作業性の点、及び再使用可能性の点から、概ね満足すべき結果が得られた。
【０００９】
本発明者は、その後さらに研究を重ね、スリーブ管を被取付体へ取り付け、また固化コンクリ−トから取り除く際の作業性の点、スリーブ管と被取付体との取付強度の点、取付金具の低コスト化等に関して再検討したところ、作業性をより向上し、取付強度を増大し、コストを低減することができる取り付け構造を案出した。
【００１０】
したがって、本発明は、コンクリート構造物に貫通孔を形成する工事において、従来のボイド管に代えて使用され、型枠や既設のコンクリートスラブの所望位置にスリーブ管をより簡単な作業で、より強固に固定することができる貫通孔形成用スリーブ管装置を提供することを目的とする。
【００１１】
また、コンクリートが固化した後、スリーブ管を固化したコンクリートから容易に剥離して除去することができ、使用後のスリーブ管、スリーブ管取付部材を再利用することができる貫通孔形成用スリーブ管装置及び貫通孔形成用スリーブ管除去方法を提供することを目的とする。
【課題を解決するための手段】
【００１２】
前記目的を達成するための第１の技術手段は、軸方向にスリットを有するとともに、直径上の相対向する位置にナットが埋設されたスリーブ管と、前記スリットに装着されるスペーサと、該スペーサが装着されたスリーブ管の表面を覆うフレキシブルシートと、前記スリーブ管を被取付体に取り付けるコ字状スリーブ管取付部材とからなり、該コ字状スリーブ管取付部材にはその両側片及び中央片に固定用孔が形成され、前記スリーブ管と前記コ字状スリーブ管取付部材、前記コ字状スリーブ管取付部材と被取り付け体とはそれぞれ着脱自在な貫通孔形成用スリーブ管装置であることを特徴とする。
【００１３】
第２の技術手段は、第１の技術手段の貫通孔形成用スリーブ管装置において、前記コ字状スリーブ管取付部材は、前記両側片及び中央片にそれぞれ複数の固定用孔が形成されていることを特徴とする。
【００１４】
第３の技術手段は、第１または第２の技術手段の貫通孔形成用スリーブ管装置において、前記コ字状スリーブ管取付部材の両側片に形成された固定用孔とボルトを用いて前記コ字状スリーブ管取付部材を前記スリーブ管に固定し、前記中央片に形成された固定用孔と固着具を用いて前記コ字状スリーブ管取付部材を前記被取付体に取り付けることを特徴とする。
【００１５】
第４の技術手段は、第１または第２の技術手段の貫通孔形成用スリーブ管装置において、前記コ字状スリーブ管取付部材の両側片に形成された固定用孔とボルトを用いて前記コ字状スリーブ管取付部材を前記スリーブ管に固定し、前記両側片に形成された他の固定用孔とボルトを用いて前記コ字状スリーブ管取付部材を前記被取付体に形成された開口に取り付けることを特徴とする。
【００１６】
第５の技術手段は、請求項１乃至４いずれかに記載の貫通孔形成用スリーブ管装置を固化したコンクリートからの除去する貫通孔形成用スリーブ管除去方法において、前記スリーブ管から前記スペーサを取り外し、前記コ字状スリーブ管取付部材と前記被取付体との固定を解放した後、前記スリーブ管を前記固化したコンクリートから除去する貫通孔形成用スリーブ管除去方法であることを特徴とする。
【発明の効果】
【００１７】
本発明によれば、コンクリート構造物に貫通孔を形成する工事において使用するスリーブ管には軸方向にスリットが形成され、このスリットに適度の弾性を有するスペーサが挿入されているので、コンクリートが固化した後スリーブ管を取り外す際、スペーサを手によりスリーブの内側に取り外せば、スリーブ管は固化したコンクリート面より内側に若干量収縮し、コンクリートとスリーブ管との間に微小な間隙が生じ、スリーブ管を容易に除去することができる。
【００１８】
また、本発明によれば、スリーブ管は上下端面を含めて表面がフレキシブルシートで覆われているので、スリーブ管を固化したコンクリートから容易に除去することができるとともに、スリーブ管の上下端面に位置するフレキシブルシートがパッキングとして機能し、型枠やコンクリートスラブ面に生じている凹凸を吸収し、流し込んだコンクリートがスリーブ管内に流入することを防止することができ、使用後のスリーブ管、スペーサ、スリーブ管取付部材等をそのまま再利用することができる。
【００１９】
また、本発明によれば、スリーブ管は略コ字状スリーブ管取付部材からなる簡単な構成のスリーブ管取付部材によって、スラブ型枠、既設のコンクリートスラブ、壁型枠、デッキプレート床、地中梁用型枠等に各種の型枠に共通して使用することができ、在庫する部品点数を削減することができる。
【００２０】
また、本発明によれば、蝶ボルト、木ねじ、タッピングねじ、釘等市販の固着具を用いた簡単な作業で、前記した各種型枠や既設のコンクリートスラブに強固に取り付けることができ、また簡単な作業で容易に除去することができるので、貫通孔形成用スリーブ管取付及び除去工事の能率を向上することができる。
【発明を実施するための最良の形態】
【００２１】
本発明は、床、壁、地中梁等のコンクリート構造物に貫通孔を形成する工事において、従来一般に使用されている使い捨ての紙製ボイド管に代えて繰り返し使用可能なスリーブ管を使用し、スリーブ管内にコンクリートが流入することを防止するとともに、型枠や既設のコンクリートスラブの所望の位置にスリーブ管を簡単な作業で強固に固定することができる貫通孔形成用スリーブ管装置を提供し、またコンクリートが固化した後、スリーブ管を固化したコンクリートから容易に剥離して取り除くことができ、使用後のスリーブ管、スペーサ、スリーブ管取付部材等を再利用することができる貫通孔形成用スリーブ管装置及び貫通孔形成用スリーブ管除去方法を提供するもので、そのための貫通孔形成用スリーブ管装置の構成は、軸方向にスリットを有するとともに、直径上の相対向する位置にナットが埋設されたスリーブ管と、前記スリットに装着されるスペーサと、前記スペーサが装着されたスリーブ管の表面を覆うフレキシブルシートと、前記スリーブ管を被取付体に取り付けるコ字状スリーブ管取付部材とからなり、該コ字状スリーブ管取付部材にはその両側片及び中央片に固定用孔が形成され、前記スリーブ管と前記コ字状スリーブ管取付部材、前記コ字状スリーブ管取付部材と被取り付け体とはそれぞれ着脱自在に固定されることを特徴とする。
【実施例】
【００２２】
以下、本発明の貫通孔形成用スリーブ管装置及び貫通孔形成用スリーブ管除去方法について、図１〜図３に基づいて説明する。
図１は実施例の貫通孔形成用スリーブ管装置をスラブ型枠に取り付けた状態を一部破断して示す斜視図である。
図２は同じく貫通孔形成用スリーブ管装置をスラブ型枠に取り付けた状態を示す図で、図２（Ａ）は側断面図、図２（Ｂ）は平面図である。なお、図１、図２（Ｂ）において、フレキシブルシートは省略して示されている。
図１、図２に示す貫通孔形成用スリーブ管装置は、スラブ型枠１上にコンクリートを打設して図示しないコンクリートスラブを形成する際、貫通孔を形成するために使用されるもので、スリーブ管４、ナット６、スペーサ７、フレキシブルシート８、スリーブ管固定部材９及び蝶ボルト１３等を構成要素とする。スリーブ管４の上端開口は、図示しない上蓋で閉鎖するようにしてもよいが、開放したまま、あるいは現場においてガムテープ等を用いて適宜閉鎖するようにしてもよい。
なお、図１、図２に示す貫通孔形成用スリーブ管装置は、既設のスラブ型枠１上にコンクリートを打設して図示しない貫通孔が形成されたコンクリートスラブを形成する際の例を示しているが、壁型枠、デッキプレート、地中梁用型枠等上にコンクリートを打設して図示しない壁、床、地中梁等を形成する際にも用いることができる。
【００２３】
スリーブ管４は、軸方向にスリット５が形成された硬質塩化ビニル管等からなり、コンクリートスラブに形成される貫通孔の内径及びコンクリートスラブの厚さに応じた外径寸法及び軸方向長さを有し、市販されている長尺の塩化ビニルパイプを施工現場で加工して用意することも可能である。なお、スリーブ管４は、十分な強度が確保され、軽量で加工性がよく、低コストで得られる材料であれば、硬質塩化ビニル管に限らず、他の樹脂管、スチール管、アルミ管等適宜の材料とすることができる。
【００２４】
スペーサ７は、スリーブ管４の軸方向に形成されたスリット５に挿入され、コンクリートの打設中、スリーブ管４の外形寸法を一定に保持するためのもので、硬質ゴムのような弾性を有する適宜の材料からなり、スリット５に挿入されるスペーサ本体部７ａ、挿入される深さを一定に保持するフランジ部７ｂ、スペーサ７をスリット５に挿入する作業時及びスリット５から離脱する時の摘まみとなる摘まみ部７ｃとが一体に形成されている。
【００２５】
スリーブ管４のスラブ型枠１側の開口端から適宜寸法離間した位置であって、スリーブ管４の直径上で対向する管壁にはそれぞれ、ナット６，６が埋設されている。ナット６，６の内方端は、スリーブ管４の内壁面から若干量突出して埋設される。スリーブ管４のナット６，６を含む直径とスリット５を含む直径の間は、９０゜の角度をなすようにするのが、スリーブ管４を取り付ける際、及び取り外す際の作業性から好ましい。
また、ナット６，６は、一般に鬼目ナットと称されるナットが用いられるが、圧入することによりスリーブ管４に食い込んで固着するタイプ、ねじ締めにより固着するタイプ等適宜の市販製品が用いられる。
【００２６】
フレキシブルシート８は、打設したコンクリートとスリーブ管装置が固着して取り除くことが困難になることを防止するために使用されるもので、一般に建築現場等で使用される養生シートが使用されるが、これに限らずビニル等の樹脂シート、布帛、紙等を用いることができ、さらに剥離剤等を塗布することもできる。フレキシブルシート８は、スリット５にスペーサ７が挿入されたスリーブ管４の少なくとも外表面を覆うように巻き付けられ、貫通孔形成用スリーブ管装置の取付時あるいはコンクリートの打設時に容易にスリーブ管４から離脱しないように接着テープ、ガムテープ等によって固定しておく。
【００２７】
スリーブ管固定部材９は、適宜の厚さ及び幅寸法を有する帯鋼等を曲げ加工することによって形成された略コ字状であって、中央片９ａ及び左右の側片９ｂ，９ｂからなり、中央片９ａには型枠やデッキプレート等に固定するための木ねじ、タッピングビス、釘等の固着具１４を挿通する固定用孔１１，１１が形成され、また中央片９ａのセンタ位置にはセンタ孔１２が形成されている。左右の側片９ｂ，９ｂには、それぞれ固定用孔１０，１０が形成され、少なくとも中央片９ａ寄りの固定用孔１０，１０には雌ねじが形成されている。
中央片９ａ及び左右の側片９ｂ，９ｂに形成される固定用孔１０，１１の数は、それぞれ２個ずつとしたが、取り付け態様や要求される取り付け強度に応じて個数、孔径等は適宜変更される。例えば、図１に示すようなスラブ型枠１に取り付けることを専らとする場合には、両側片９ｂ，９ｂに形成する固定用孔１０，１０はスリーブ管４のナット６，６の位置に合わせてそれぞれ１個とすることもできる。
【００２８】
以上のような構成要素を備えた貫通孔形成用スリーブ管装置をスラブ型枠１上に取り付ける方法について説明する。
まず、形成しようとするコンクリートスラブのスラブ厚及び貫通孔の内径に対応した長さ及び外径寸法を有するスリーブ管４を準備し、スリーブ管４の長さのスペーサ７をスリット５内に挿入しておく。このとき、スペーサ７は硬質ゴム等適度の弾性を有するので、摘まみ部７ｃ及びフランジ部７ｂを利用して、スリット５内にしっかりと仮止め状態とすることができ、また使用後に取り外すことができる。
【００２９】
次に、スリーブ管４に埋設されているナット６，６と蝶ボルト１３，１３を用いて、スリーブ管４にスリーブ管固定部材９を取り付けておく。このとき、両側の蝶ボルト１３，１３は等長のボルトを用い、ナット６，６へ等量ねじ込むようにすれば、スリーブ管固定部材９はセンタ孔１２がスリーブ管４の中心と一致するように正確に、しかも強固に取り付けることができる。
【００３０】
次に、ビニル等の樹脂材料からなり、スリーブ管４の長さより所定長長いフレキシブルシートをスペーサ７が取り付けられたスリーブ管４に被せ、スリーブ管４からはみ出し部分をスリーブ管４の内方に折り返し、フレキシブルシートの内径が大きいために弛んだ部分を折り返し、接着テープ等でフレキシブルシートがずれないように固定する。
【００３１】
次に、このスリーブ管４をスラブ型枠１上に載置して取り付けるが、このときスリーブ管固定部材９の中央片９ａに形成されているセンタ孔１２が形成しようとしている貫通孔の設置位置の中心と一致するようにする。その後、スラブ型枠、壁型枠、デッキプレート等の種類や材質等に応じ、木ねじ、タッピングビス、釘等の固着具１４を用いてスリーブ管固定部材９をスラブ型枠１等に固定する。
【００３２】
次に、スラブ型枠１上にコンクリートを打設するが、このときスリーブ管４の開放端を図示しない上蓋で覆った場合は、打設するコンクリートのスラブ天端を上蓋の表面よりコンクリートのカブリ代だけ上方となるようし、また、スリーブ管４の開口端をそのまま開放した場合は、コンクリートのスラブ天端を開口端以下となるようにし、その後、打設したコンクリートの表面をコンクリートならし機で平滑化する。
【００３３】
打設したコンクリートが硬化した後、上蓋で覆った場合においては、カブリ代のコンクリートをハンマ等で叩き、破壊して除去した後、上蓋を取り除く。その後、スリーブ管４の開放端から手あるいは工具を挿入して、固着具１４を取り外し、スリーブ管固定部材９とスラブ型枠１の結合を解放する。この状態では、スリーブ管４は固化したコンクリートとフレキシブルシート８を介して密着した状態となっていて、スリーブ管４をコンクリートから取り外すのは容易でない。
【００３４】
その後、スリーブ管４の内面に手あるいは工具を挿入し、スペーサ７の摘まみ部７ｃを掴んでスペーサ７をスリット５から取り外し、スリーブ管４を単独で、またはフレキシブルシート８とともに固化したコンクリートから取り除く。このとき、スペーサ７をスリット５から取り外すことによって、スリーブ管４は若干内側に収縮し、固化したコンクリートとスリーブ管４の外表面間には微小な隙間が生じるので、スリーブ管４を容易に固化したコンクリートから引き抜いて取り外すことができる。なお、固化したコンクリート中に取り残されたフレキシブルシート８は容易に取り除くことができる。
【００３５】
以上のような一連の方法により、スラブ型枠１の上にコンクリートが流し込まれ、貫通孔を有するコンクリートスラブが完成するが、スリーブ管４をスラブ型枠１に取り付ける作業、及びコンクリートが固化した後、スリーブ管４をスラブ型枠１から取り除く現場での作業は、スリーブ管固定部材９を固着具１４で固定し、また取り外すだけでよいので、能率のよい作業が可能となる。また、作業後廃棄する資材はフレキシブルシート８だけであって、スリーブ管４、スペーサ７、スリーブ管固定部材９、蝶ボルト１３等はそのまま繰り返し使用することができる。
【００３６】
次に、本発明の貫通孔形成用スリーブ管装置の異なる実施態様について、図３に基づいて説明する。
図３は実施例の貫通孔形成用スリーブ管装置を既設のコンクリートスラブに取り付けた状態を示す図で、図３（Ａ）は側断面図、図３（Ｂ）は平面図である。なお、図３（Ｂ）において、フレキシブルシートは省略して示されている。
図３に示す実施例の貫通孔形成用スリーブ管装置は、開口３を有する既設のコンクリートスラブ２上にコンクリートを打設して図示しないコンクリートスラブを形成する際に、開口３と連通する貫通孔を形成する際に使用され、スリーブ管４、ナット６、スペーサ７、フレキシブルシート８、スリーブ管固定部材９、蝶ボルト１３，１５等を構成要素とする。なお、フレキシブルシート８で覆ったスリーブ管４の上端開口は、図示しない上蓋で閉鎖するようにしてもよいが、必須ではない。
図３に示す実施態様で使用される貫通孔形成用スリーブ管装置の各構成要素は、図１、図２に示す貫通孔形成用スリーブ管装置と同様であるが、スリーブ管固定部材９とスリーブ管４、コンクリートスラブ２との結合状態において相違している。
【００３７】
本発明の貫通孔形成用スリーブ管装置を使用し、開口３が形成された既設のコンクリートスラブ２上にコンクリートを打設して貫通孔を有するコンクリートスラブを形成する方法について説明する。
まず、形成しようとするコンクリートスラブのスラブ厚及び形成する貫通孔の内径に対応した長さ及び外径寸法を有するスリーブ管４及びスペーサ７を準備し、スペーサ７をスリット５内に挿入して取り付けておく。また、スリーブ管固定部材９をその両側片９ｂ，９ｂの上端寄りに形成された固定用孔１０，１０を通してスリーブ管４に埋設固定されたナット６，６に蝶ボルト１３，１３を通してねじ締めする。これにより、スリーブ管固定部材９は、スリーブ管４の中心とスリーブ管固定部材９に形成されたセンタ孔１２とが一致するように取り付けられる。
【００３８】
次に、フレキシブルシート８をスペーサ７とスリーブ管固定部材９が取り付けられたスリーブ管４に被せ、スリーブ管４からはみ出したフレキシブルシートをスリーブ管４の内方に折り返し、フレキシブルシートの内径が大きいために弛んだ部分を折り返し、接着テープ等でフレキシブルシートがずれないように固定した後、フレキシブルシート８で覆われたスリーブ管４を既設のコンクリートスラブ２に形成された開口３と一致するように所定位置に載置する。
【００３９】
次に、スペーサ７、スリーブ管固定部材９、フレキシブルシート８、蝶ボルト１３，１３が組みつけられたスリーブ管４を既設のコンクリートスラブ２上に開口３とスリーブ管４の中心が一致するように載置して、スリーブ管固定部材９の中央片９ａを開口３中に挿入し、蝶ボルト１５，１５を雌ねじが形成された中央片１０ａ寄りの固定用孔１０，１０にねじ込み、蝶ボルト１５，１５の先端を開口３の内壁面に当接させる。このとき、左右の蝶ボルト１５，１５のねじ込み量を等しくすることによって、スリーブ管４を開口３と同心状に、正確かつ強固に取り付けることができる。
【００４０】
以上のようにして、既設のコンクリートスラブ２上に貫通孔形成用スリーブ管装置を取り付けた後、コンクリートスラブ２上にコンクリートを打設して、打設したコンクリートの表面をコンクリートならし機で平滑化し、硬化を待って、貫通孔が形成されたコンクリートスラブが完成する。
【００４１】
コンクリートが硬化した後、スリーブ管４の開放端から手あるいは工具を挿入して、蝶ボルト１５，１５を緩め、スリーブ管固定部材９と開口３の結合を解放する。この状態では、スリーブ管４は固化したコンクリートとフレキシブルシート８を介して密着した状態となっているので、スリーブ管４をコンクリートから取り外すのは容易でない。
【００４２】
その後、スリーブ管４の内面に手あるいは工具を挿入し、スペーサ７をスリット５から取り外し、スリーブ管４を若干内側に収縮させて、スリーブ管４を単独でまたはフレキシブルシート８とともに固化したコンクリートから取り除き、最後にコンクリート中に取り残されたフレキシブルシート８を取り除く。
【００４３】
以上のような一連の方法により、既設のコンクリートスラブ２の上にコンクリートが流し込まれ、開口２と連続した貫通孔を有するコンクリートスラブが完成するが、スリーブ管４を既設のコンクリートスラブ２に取り付ける作業、及びコンクリートが固化した後、スリーブ管４を既設のコンクリートスラブ２から取り除く現場での作業は、蝶ボルト１３，１３，１５，１５を締め付ける作業、取り除く作業だけであるので、作業能率が向上する。また、作業後廃棄する資材はフレキシブルシート８だけであって、スリーブ管４、スペーサ７、スリーブ管固定部材９、蝶ボルト１３，１５はそのまま繰り返し使用することができる。
【図面の簡単な説明】
【００４４】
【図１】実施例の貫通孔形成用スリーブ管装置をスラブ型枠に取り付けた状態を一部破断して示す斜視図である。
【図２】実施例の貫通孔形成用スリーブ管装置をスラブ型枠に取り付けた状態を示す図で、図２（Ａ）は側断面図、図２（Ｂ）は平面図である。
【図３】実施例の貫通孔形成用スリーブ管装置をコンクリートスラブに取り付けた状態を示す図で、図３（Ａ）は側断面図、図３（Ｂ）は平面図である。
【符号の説明】
【００４５】
１…スラブ型枠、２…コンクリートスラブ、３…開口、４…スリーブ管、５…スリット、６…ナット、７…スペーサ、７ａ…スペーサ本体部、７ｂ…フランジ部、７ｃ…摘まみ部、８…フレキシブルシート、９…スリーブ管固定部材、９ａ…中央片、９ｂ，９ｃ…側片、１０，１１…固定用孔、１２…センタ孔、１３，１５…蝶ボルト、１４…固着具。
【図１】
2005307468.tif 000003
【図２】
2005307468.tif 000004
【図３】
2005307468.tif 000005